(57)【要約】【課題】  ユーザによるマイナスイオン水の飲用量をそのユーザに適した量に抑制できること。【解決手段】  このマイナスイオン水供給装置１００では、ユーザが第２蛇口４からマイナスイオン水を出すと、流量計７の信号が流量測定部に送られる。流量測定部は日単位でそのユーザの使用した流量を測定する。測定された流量は、供給量制御部に送られ、ユーザ毎に記憶される。供給量制御部は、その日の積算供給量をカウントしており、一日の推奨飲料量を超えた場合、供給量制御部は、電磁弁８を閉じて強制的にマイナスイオン水の供給を停止する。これにより、ユーザによるマイナスイオン水の飲みすぎを防止する。【選択図】  図１
0003170720.tif 000002
【実用新案登録請求の範囲】
【請求項１】
水道水が流れる管に設けられ且つトルマリン石が充填された水改質器と、
水改質器の下流に接続した流量計と、
流量計からの情報に基づいて前記水改質器を通ったマイナスイオン水の量を測定し、所定量に到達したことを報知する報知手段と、
を備えたことを特徴とするマイナスイオン水供給装置。
【請求項２】
更に、流量計からの情報に基づいて前記水改質器を通ったマイナスイオン水の量を測定し、所定量に到達した場合に弁を閉じる供給量制御手段を設けたことを特徴とするマイナスイオン水供給装置。
【請求項３】
複数のユーザの登録を行う登録部と、
ユーザ毎に前記流量計の情報に基づいて前記水改質器を通ったマイナスイオン水の量を測定する流量測定部と、
を備え、前記報知手段又は供給量制御手段は、ユーザ毎に機能することを特徴とする請求項１又は２に記載のマイナスイオン水供給装置。
【請求項４】
更に、前記登録部は、ユーザの身体データに基づいて推奨される飲用量を決定する推奨飲用量決定手段を有し、
前記報知手段又は供給量制御手段は、前記所定量として前記推奨飲用量を用いることを特徴とする請求項１〜３のいずれか一つに記載のマイナスイオン水供給装置。
【請求項５】
請求項１〜４のいずれか一つに記載のマイナスイオン水供給装置が建物の複数の戸に設けられ、水改質器は各戸で共通となることを特徴とするマイナスイオン水供給装置。
【請求項６】
更に、前記水改質器の下流に手動操作できる水道水の管と切換可能な弁その他の切換手段を設けたことを特徴とする請求項１に記載のマイナスイオン水供給装置。
【考案の詳細な説明】
【技術分野】
【０００１】
本考案は、水道水をマイナスイオン水に改質してユーザに適量供給するマイナスイオン水供給装置に関するものである。
【背景技術】
【０００２】
マイナスイオン水は、体に良く、コーヒーやお茶の抽出、調理等に適していると言われている。これは、マイナスイオン水のｐｈが通常の水道水よりも高いことに基づくものと考えられる。一方、マイナスイオン水を大量に飲用すると、胃酸を薄める等の問題点も指摘されている。このため、マイナスイオン水を飲用する量は、ユーザに適した量とすることが望ましい。なお、マイナスイオン水に関する先行技術としては、特許文献１に記載のようなものが知られている。
【先行技術文献】
【特許文献】
【０００３】
【特許文献１】特開２０１１−０８３６８１号公報
【考案の概要】
【考案が解決しようとする課題】
【０００４】
本考案は、ユーザによるマイナスイオン水の飲用量をそのユーザに適した量に抑制できることを目的とする。
【課題を解決するための手段】
【０００５】
本考案のマイナスイオン水供給装置は、水道水が流れる管に設けられ且つトルマリン石が充填された水改質器と、水改質器の下流に接続した流量計と、流量計の信号に基づいて前記水改質器を通ったマイナスイオン水の量を測定し、所定量に到達したことを報知する報知手段とを備えたことを特徴とする。
【０００６】
また、本考案のマイナスイオン水供給装置は、上記考案において、更に、流量計の信号に基づいて前記水改質器を通ったマイナスイオン水の量を測定し、所定量に到達した場合に弁を閉じる供給量制御手段を設けたことを特徴とする。また、前記水改質器の下流に手動操作できる水道水の管と切換可能な弁その他の切換手段を設けるようにしても良い。
【０００７】
また、本考案のマイナスイオン水供給装置は、上記考案において、複数のユーザの登録を行う登録部と、ユーザ毎に前記流量計の信号に基づいて前記水改質器を通ったマイナスイオン水の量を測定する流量測定部とを備え、前記報知手段又は供給量制御手段は、ユーザ毎に機能することを特徴とする。
【０００８】
また、本考案のマイナスイオン水供給装置は、上記考案において、更に、前記登録部は、ユーザの身体データに基づいて推奨される飲用量を決定する推奨飲用量決定手段を有し、前記報知手段又は供給量制御手段は、前記所定量として前記推奨飲用量を用いることを特徴とする。
【０００９】
また、本考案のマイナスイオン水供給装置は、上記いずれか一つの考案のマイナスイオン水供給装置が建物の複数の戸に設けられ、水改質器は各戸で共通となることを特徴とする。
【図面の簡単な説明】
【００１０】
【図１】この考案のマイナスイオン水供給装置を示す構成図である。
【図２】図１に示したマイナスイオン水供給装置の改質器の構造を示す断面模式図である。
【図３】マイナスイオン水供給装置をシステムキッチンに装着した例を示す説明図である。
【図４】コントローラを示す構成図である。
【図５】ユーザ登録の画面例を示す説明図である。
【図６】ユーザがマイナスイオン水供給装置を使用する際の画面例を示す説明図である。
【図７】登録部と供給量制御部におけるユーザ毎の状況を記憶した例である。
【図８】この考案の実施の形態２に係るマイナスイオン水供給装置を示す構成図である。
【図９】この考案の実施の形態２に係るマイナスイオン水供給装置を示す構成図である。
【図１０】この考案の実施の形態３に係るマイナスイオン水供給装置を示す一部構成図である。
【図１１】この考案の実施の形態４に係るマイナスイオン水供給装置を示す構成図である。
【考案を実施するための形態】
【００１１】
（実施の形態１）
図１は、この考案のマイナスイオン水供給装置を示す構成図である。図２は、図１に示したマイナスイオン水供給装置の改質器の構造を示す断面模式図である。図３は、マイナスイオン水供給装置をシステムキッチンに装着した例を示す説明図である。このマイナスイオン水供給装置１００は、通常の水道管に接続している第１管１と、第１管１から分岐している第２管２と、第１管１及び第２管２の末端に設けられた第１蛇口３及び第２蛇口４と、第２管２に設けられた水改質器５と、第２管２の水改質器５の下流に設けた流量計７と、第２管２の流量計７の下流に設けた電磁弁８と、流量計７からの信号に基づいて電磁弁８の制御等を行うコントローラ９とから構成される。
【００１２】
水改質器５は、ステンレス製又は樹脂製の筒状の本体５０と、本体５０の内部に充填された多数のトルマリン石６と、本体５０の前後端に設けた接続部１０とから構成される。接続部１０は、第２管２にそれぞれネジ固定される。
【００１３】
トルマリン石６は、０．１カラット以上０．３０カラット以下であり、このトルマリン石６の表面は研磨加工されて滑らかな面となっている。前記面の加工は、前記大きさの多数のトルマリン石６をゴム等の弾性体上で保持し、このトルマリン石６に対して回転する研磨面を押し付け、この工程を当該トルマリン石６に対して数回にわたって行い、トルマリン石６の表面に研磨面を形成する。研磨面は、トルマリン石６よりも硬い（例えばダイヤモンド等）の微細な粒を混合した加工液をバフ又はポリッシュ板に染み込ませたものである。または、ダイヤモンド砥粒を円板上に固定したものである。なお、研磨方法はかかる方法に限定されない。面を滑らかに研磨することにより水道水に含まれる不純物が表面に付着するのを防止できる。このため、洗浄等のメンテナンスをしなくても長期間に渡る使用が可能である。なお、トルマリン石６の全ての面が研磨面でなくても良い。
【００１４】
水改質器５を通った水道水がトルマリン石６に接触することで、当該水道水がマイナスイオン水となる。これにより、水道水のｐｈが上がり、ＯＲＰ値が低くなる。マイナスイオン水の人体に対する効果としては、例えば、次のようなものがあると言われている。
１）腸内の発酵や腐敗の抑制作用。
２）血液循環を高める作用。
３）細胞の活性化と新陳代謝の促進作用。
４）血液の浄化作用。
５）鎮痛、抗菌、消臭作用。
【００１５】
第１蛇口３は通常の水道水のために用いるものであり、例えば図３に示したような混合栓である。第２蛇口４は、マイナスイオン水の専用の蛇口となり、キッチンＫの上部に取り付けられる。なお、第２蛇口４は、キッチンＫの上に載せるタイプのものであっても良い。
【００１６】
流量計７には、例えば、微小な流量の測定に適した羽根車式の流量計７を用いる。なお、流量に応じて、その他の形式の流量計７を用いても良い。
【００１７】
コントローラ９は、図４に示すように、キッチンＫの壁面等に設置する本体９１と、本体９１の表面に設けられたタッチパネル式の入力部９２及び表示部９３と、流量計７からの信号を取得して水の流量を測定する流量測定部９４と、所定の量の水が供給された場合に前記電磁弁８を閉じるように制御する供給量制御部９５と、ユーザの登録を行う登録部９６と、ユーザの認証を行う認証部９７とを備えている。
【００１８】
次に、このマイナスイオン水供給装置１００の動作を説明する。図５は、ユーザ登録の画面例を示す説明図である。登録部９６は、ユーザが一日に飲用できるマイナスイオン水の量をユーザの体重に基づいて決定する。例えば、登録部９６は体重毎に対応する推奨飲用量を記憶しておき、入力された体重に基づいて対応する推奨飲用量を選択する。ユーザは、図５（ａ）に示すユーザ登録画面において、ＩＤ指定欄２０に自己の番号を指定する。例えば「１」を指定する。次に、ユーザは、（ｂ）に示す体重入力画面の体重欄２１に自分の体重を入力する。入力は、表示部９３に表示されたテンキーの入力部９２から行う。続いて、ユーザは、体重を入力した後、（ｃ）に示すパスワード入力画面のパスワード設定欄２３にパスワードを入力する。また、パスワード入力画面には、前記入力された体重から自動決定された推奨飲用量が表示される。このようにして、登録部９６は、ユーザ毎にＩＤ、推奨飲用量及びパスワードを記憶する。
【００１９】
図６は、ユーザがマイナスイオン水供給装置を使用する際の画面例を示す説明図である。ユーザは、マイナスイオン水供給装置１００を使用する場合、図６（ａ）に示す画面のユーザ入力欄２４にＩＤを入力する。例えば「１」を入力する。また、予め設定しておいたパスワードをパスワード入力欄２５に入力する。そうすると、（ｂ）に示すように、本日の日付と共にそのユーザの推奨飲用量が表示される。そして、この日の現在における飲用量が表示される。この状態で供給量制御部９５により電磁弁８が開かれ、マイナスイオン水が第２蛇口４から供給可能となる。即ち、供給量制御部９５は、コントローラ９にＩＤとパスワードを入力しなければ電磁弁８を開かないので、ユーザがむやみに飲用することを防止できる。
【００２０】
ユーザが第２蛇口４からマイナスイオン水を出すと、流量計７の信号が流量測定部９４に送られる。流量測定部９４は日単位でそのユーザの使用した流量を測定する。測定された流量は、供給量制御部９５に送られ、ユーザ毎に記憶される。また、供給量制御部９５は、その日の積算供給量をカウントして、現在飲用量を（ｂ）に示す画面に表示する。マイナスイオン水の供給量は、日単位でカウントされるので、日付が変わるとキャンセルされ、再び０ｍｌからスタートする。
【００２１】
次に、ユーザがマイナスイオン水を飲用し続けて推奨飲料量を超えた場合、供給量制御部９５は、電磁弁８を閉じて強制的にマイナスイオン水の供給を停止すると共に、（ｃ）に示す報知画面（報知手段）において、「１日の摂取量を超えています！」との表示を行う。
【００２２】
図７は、登録部と供給量制御部におけるユーザ毎の状況を記憶した例である。登録部９６には、上記のようにユーザ毎にＩＤ、パスワードが登録され、各ユーザの体重に基づいた推奨飲用量が登録される。供給量制御部９５は、ユーザ毎にその日における実際の飲用量をカウントして記憶している。その日の推奨飲用量を超えている場合には、供給の「停止」の処理が登録される。
【００２３】
以上、この考案のマイナスイオン水供給装置１００によれば、ユーザ毎にマイナスイオン水の飲用量を管理できるので、マイナスイオン水の飲みすぎによる弊害を防止できる。
【００２４】
（実施の形態２）
図８は、この考案の実施の形態２に係るマイナスイオン水供給装置を示す構成図である。マンション全体に設置する場合、マンションの屋上に設けた貯水槽から通常の水道水を流す第１管２０１と、マイナスイオン水専用の第２管２０２とが接続される。マンション屋上の第２管２０２には、上記水改質器２０５が接続されている。水改質器２０５の構造は実施の形態１の水改質器５と同じであるが、マンション全体に供給できるだけの本体容積とトルマリン石６の充填量が必要になる。
【００２５】
第１管２０１及び第２管２０２は、マンション屋上から各戸に分岐して接続されている。各戸内では、図９に示すように、室内に導入された第１管２０１及び第２管２０２にはそれぞれ第１蛇口３及び第２蛇口４が設けられる。また、室内において、前記第２管２０２にはマイナスイオン水の流量を測定する流量計７及びマイナスイオン水の供給のオン／オフを行う電磁弁８が設けられる。また、流量計７及び電磁弁８は、コントローラ９に接続されている。
【００２６】
水道水は、マンションの屋上までポンプＰによりくみ上げられ、貯水槽Ｔに貯水される。貯水槽Ｔから第１管２０１を通じて各戸に水道水が供給される。一方、貯水槽Ｔの水道水は第２管２０２を通じて水改質器２０５に送られてマイナスイオン水として第２管２０２に導出し、当該マイナスイオン水は第２管２０２を通じて各戸に供給される。水改質器２０５は、マンションで共用となっているので、そのメンテナンス等はマンション管理会社等が行うことになる。各戸では、上記実施の形態１と同様にコントローラ９でユーザ毎にマイナスイオン水の供給量が管理される。なお、水改質器２０５は、実施の形態１の水改質器５を複数台直列又は並列に接続した構成としても良い。
【００２７】
また、コントローラ９には、各戸毎のマイナスイオン水の使用量をカウントする機能を設けても良い（図示省略）。コントローラ９は、インターネットやマンション内のＷＡＮ等により外部の管理サーバに接続可能とする。例えば、月単位で各戸へのマイナスイオン水の供給量をカウントし、その情報をマンションの管理組合等が運用する管理サーバ等に送信する。管理組合等は、この情報に基づいて各戸に対してマイナスイオン水のメンテナンス費用等を案分して請求する。このようにすれば、マンション内の各戸のユーザが公平に費用負担することになる。
【００２８】
（実施の形態３）
図１０は、この考案の実施の形態３に係るマイナスイオン水供給装置を示す一部構成図である。このマイナスイオン水供給装置３００では、キッチン等の混合栓に対してマイナスイオン水供給装置３００の第２管２を内蔵させ、一つの混合栓３０１で水、お湯、マイナスイオン水の供給をできるようにした点に特徴がある。その他の構成は、実施の形態１又は２と同じであるからその説明を省略する。この混合栓３０１の先端には、第１管１と第２管２とを切り換える小型のレバー３０２が設けられている。このレバー３０２を引くことで通常であれば第１管１に接続していた蛇口先が第２管２に切り換えられ、これによりユーザはマイナスイオン水を当該混合栓３０１から使用できる。
【００２９】
このような構造にすれば、ユーザはキッチンにマイナスイオン水供給装置３００のための穴を開けなくても良いし、既存の混合栓を上記混合栓３０１に交換すれば済むので設置が簡単である。
【００３０】
（実施の形態４）
図１１は、この考案の実施の形態４に係るマイナスイオン水供給装置を示す構成図である。このマイナスイオン水供給装置は、上記実施の形態１と略同様の構成であるが、第２蛇口を省略して第１蛇口３のみで水道水とマイナスイオン水の切換を行うものである。第１管１には、第２電磁弁４０１が設けられている。通常、この第２電磁弁４０１は開いており、電磁弁８は閉じた状態である。コントローラ９は、ユーザがマイナスイオン水の使用を開始した際、電磁弁８を開ける際に同時に第２電磁弁４０１を閉じる。これにより、第１蛇口３からはマイナスイオン水のみが供給されることになる。
【００３１】
ユーザがコントローラ９を操作してマイナスイオン水の供給を停止した場合は、電磁弁８が閉じ、第２電磁弁４０１が開いて、水道水が第１蛇口３に供給される。係る構成によれば、蛇口が１つで済むので、キッチン周りがシンプルになる。コントローラ９の画面上には、現在第１蛇口３から供給されているのが、水道水なのかマイナスイオン水なのかが表示される（図示省略）。
【００３２】
なお、上記実施の形態１〜４では、コントローラ９により流量計７からの流量の信号を受けてマイナスイオン水の流量を監視し、飲用量を報知又は制限していたが、流量計７のメーター（機械式又は電子式のいずれでも良い）をユーザへの飲用量の報知手段として用い、ユーザが直接目視にてその日の飲用量を確認するようにしても良い。その際、電磁弁８（及び第２電磁弁４０１）の代わりに、ユーザが手動で操作できる弁その他の切換手段を設けても良いし、電磁弁８を省略して第２蛇口４（実施の形態３においてはレバー３０２）のみで操作するようにしても良い。
【符号の説明】
【００３３】
１００  マイナスイオン水供給装置
１  第１管
２  第２管
３  第１蛇口
４  第２蛇口
５  水改質器
６  トルマリン石
７  流量計
８  電磁弁
９  コントローラ
【図１】
0003170720.tif 000003
【図２】
0003170720.tif 000004
【図３】
0003170720.tif 000005
【図４】
0003170720.tif 000006
【図５】
0003170720.tif 000007
【図６】
0003170720.tif 000008
【図７】
0003170720.tif 000009
【図８】
0003170720.tif 000010
【図９】
0003170720.tif 000011
【図１０】
0003170720.tif 000012
【図１１】
0003170720.tif 000013
【手続補正書】
【提出日】平成23年7月21日(2011.7.21)
【手続補正１】
【補正対象書類名】実用新案登録請求の範囲
【補正対象項目名】全文
【補正方法】変更
【補正の内容】
【実用新案登録請求の範囲】
【請求項１】
水道水が流れる管に設けられ且つトルマリン石が充填された水改質器と、
水改質器の下流に接続した流量計と、
流量計からの情報に基づいて前記水改質器を通ったマイナスイオン水の量を測定し、所定量に到達したことを報知する報知手段と、
を備えたことを特徴とするマイナスイオン水供給装置。
【請求項２】
更に、流量計からの情報に基づいて前記水改質器を通ったマイナスイオン水の量を測定し、所定量に到達した場合に弁を閉じる供給量制御手段を設けたことを特徴とする請求項１に記載のマイナスイオン水供給装置。
【請求項３】
複数のユーザの登録を行う登録部と、
ユーザ毎に前記流量計の情報に基づいて前記水改質器を通ったマイナスイオン水の量を測定する流量測定部と、
を備え、前記報知手段又は供給量制御手段は、ユーザ毎に機能することを特徴とする請求項１又は２に記載のマイナスイオン水供給装置。
【請求項４】
更に、前記登録部は、ユーザの身体データに基づいて推奨される飲用量を決定する推奨飲用量決定手段を有し、
前記報知手段又は供給量制御手段は、前記所定量として前記推奨飲用量を用いることを特徴とする請求項１〜３のいずれか一つに記載のマイナスイオン水供給装置。
【請求項５】
請求項１〜４のいずれか一つに記載のマイナスイオン水供給装置が建物の複数の戸に設けられ、水改質器は各戸で共通となることを特徴とするマイナスイオン水供給装置。
【請求項６】
更に、前記水改質器の下流に手動操作できる水道水の管と切換可能な弁その他の切換手段を設けたことを特徴とする請求項１に記載のマイナスイオン水供給装置。